(57)【要約】      （修正有）【課題】各種の物品を塗装するのに際し、塗装対象物に影が生じたり、傷が生じない状態で保持することを可能とした塗装用ホルダーを提供する。【解決手段】持ち手１に連結される保持部材により塗装対象物を保持する塗装用ホルダーにおいて、保持部材２を持ち手に連結される側の固定保持アーム４と、後端を上記保持アームに軸止することにより鰐口状に開閉する揺動保持アーム７により構成するとともに、揺動保持アームを開放側に付勢する。【選択図】図１
0003218725.tif 000002
【実用新案登録請求の範囲】
【請求項１】
持ち手に連結される保持部材により塗装対象物を保持する塗装用ホルダーにおいて、保持部材を鰐口状に開閉する一対の保持アームにより構成し、上記一対の保持アームを開放側に付勢したことを特徴とする塗装用ホルダー。
【請求項２】
持ち手に連結される保持部材により塗装対象物を保持する塗装用ホルダーにおいて、保持部材を持ち手に連結される側の固定保持アームと、後端を上記保持アームに軸止することにより鰐口状に開閉する揺動保持アームにより構成するとともに、揺動保持アームを開放側に付勢したことを特徴とする請求項１記載の塗装用ホルダー。
【請求項３】
固定保持アームおよび揺動保持アームの先端外側に、揺動保持アームが開いた際に塗装対象物の内壁に接触する保持用突起を設けた請求項１または２記載の塗装用ホルダー。
【請求項４】
固定保持アームおよび揺動保持アームの先端外側に、揺動保持アームが開いた際に塗装対象物の内壁に接触する高摩擦性の滑り止め部材を設けた請求項１または２記載の塗装用ホルダー。
【請求項５】
保持部材の後端を延長して持ち手とした請求項１から４のいずれかに記載の塗装用ホルダー。
【請求項６】
保持部材の後端に持ち手を連結する連結部を設けた請求項１から４のいずれかに記載の塗装用ホルダー。
【考案の詳細な説明】
【技術分野】
【０００１】
本願考案は、各種の物品を塗装するのに際し、塗装対象物を保持するための塗装用ホルダーに関する。
【背景技術】
【０００２】
物品を塗装する場合、塗装対象物（以下、「ワーク」と称する。）は固定しておかなければならない。この場合、ワークは載置して塗装するが、ワークの一面だけではなく全面に塗装する場合は一旦一面を塗装した後に、それを裏返し得他面を塗装することになる。
【０００３】
一方、例えば、模型の部品などの小さな物品を塗装する場合には、それを保持具を介して手持ちして塗装することが便利であり、特に吹きつけ塗装の場合に有用である。
【０００４】
前記の保持具として、塗装作業者が手持ちする持ち手の先にワークを挟持して保持するための洗濯ばさみ状のクリップや、みの虫クリップからなる保持具を連結したものが公知である（特許文献１、特許文献２）。
【０００５】
また、保持具がワークに接する面積を最小にするために、保持具の先端にワークに設けた孔に嵌合される突起を設けることも提案されている（特許文献３）。
【先行技術文献】
【特許文献】
【０００６】
【特許文献１】実用新案登録第３１１９１１４号公報
【特許文献２】実用新案登録第３１７３９７８号公報
【特許文献３】特開昭５７−７１６７３号公報
【考案の開示】
【考案が解決しようとする課題】
【０００７】
前記の特許文献１および２に記載の従来技術の保持具はワークを直接手で持たないで持ち手を介して持つことができるので、特に吹きつけ塗装の場合には飛び散った塗料が手にかかることがなく有用である。
【０００８】
しかしながら、ワークを保持具で挟持して保持するので、吹きつけ塗装の場合に保持具箇所が影となり塗料が行き渡らない問題があった。また、ワークの表面が柔らかったり、傷がつきやすかったり、破損しやすかったり、デリケートな塗装面であるなどの場合には保持具で挟持できない問題もあった。
【０００９】
前記に関しては、保持具の先端にワークに設けた孔に嵌合される突起を設けることにより保持具がワークに覆い被さらない特許文献３に記載の従来技術が有用であるが、ワークにそのための加工を要する問題があった。
【課題を解決するための手段】
【００１０】
本願考案は以上の従来技術の問題点を解消した塗装用ホルダーを提供することを目的として創作されたものであり、持ち手に連結される保持部材により塗装対象物を保持する塗装用ホルダーにおいて、保持部材を鰐口状に開閉する一対の保持アームにより構成し、上記一対の保持アームを開放側に付勢したことを特徴とする。
【００１１】
また、請求項２記載の考案は、前記の塗装用ホルダーにおいて、保持部材を持ち手に連結される側の固定保持アームと、後端を上記保持アームに軸止することにより鰐口状に開閉する揺動保持アームにより構成するとともに、揺動保持アームを開放側に付勢したことを特徴とする。
【００１２】
また、請求項３記載の考案は、前記の塗装用ホルダーにおいて、固定保持アームおよび揺動保持アームの先端外側に、揺動保持アームが開いた際に塗装対象物の内壁に接触する保持用突起を設けたことを特徴とする。
【００１３】
また、請求項４記載の考案は、前記の塗装用ホルダーにおいて、固定保持アームおよび揺動保持アームの先端外側に、揺動保持アームが開いた際に塗装対象物の内壁に接触する高摩擦性の滑り止め部材を設けたことを特徴とする。
【考案の効果】
【００１４】
以上の構成よりなる本願考案の塗装用ホルダーによれば、例えば筒状や蓋状などの内部に空隙があるワークを塗装する場合に、一対の保持アームを付勢力に抗して閉じた状態で空隙内に挿入し、空隙内で付勢力によりアームを開けば、一対の保持アームが空隙の内壁を互いに反対方向に押圧するので、ワークは一対の保持アームにより突っ張り状態で固定されることとなる。
【００１５】
前記の結果、本願考案の塗装用ホルダーによれば、ワークは内側から保持されホルダーの保持部材が外側に覆い被さることがないので影により塗装が邪魔されることがない。
【００１６】
また、保持部材はワークの表面に接しないので、表面が柔らかったり、傷がつきやすかったり、破損しやすかったり、デリケートな塗装面を持つワークにも安心して使用することができる。
【００１７】
また、請求項２記載の考案によれば、保持部材を持ち手に連結される側の固定保持アームと、後端を上記保持アームに軸止することにより鰐口状に開閉する揺動保持アームにより構成するので、固定保持アームを予めワークの内壁に接触させることができ位置決めがしやすい。
【００１８】
また、請求項３記載の考案によれば、固定保持アームおよび揺動保持アームの先端外側に、揺動保持アームが開いた際に塗装対象物の内壁に接触する保持用突起を設けるので、ワークの内壁に対するアームの接触面積を小さくして滑り落ちを防止することができる。
【００１９】
また、請求項４記載の考案によれば、固定保持アームおよび揺動保持アームの先端外側に、揺動保持アームが開いた際に塗装対象物の内壁に接触する高摩擦性の滑り止め部材を設けるので、ワークの内壁に対するアームの摩擦力が高くして滑り落ちを防止することができる。
【図面の簡単な説明】
【００２０】
【図１】本願考案の塗装用ホルダーの持ち手を付けた状態の斜視図。
【図２】同上、要部の断面図。
【図３】同上、要部の断面図。
【図４】同上、使用方法を示す要部の側面図。
【図５】同上、使用方法を示す要部の側面図。
【図６】同上、使用方法を示す要部の側面図。
【図７】同上、使用方法を示す要部の側面図。
【考案を実施するための形態】
【００２１】
以下、本願考案の塗装用ホルダーの具体的実施例を添付図面に基づいて説明する。図１〜図４は本願考案の塗装用ホルダーを示す図である。
【００２２】
本願考案の塗装用ホルダーＨはワークを内側から保持する保持部材を鰐口状に開閉する一対の保持アームにより構成し、上記一対の保持アームを開放側に付勢したことを特徴とするが、この実施例では、保持部材を持ち手に連結される側の固定保持アームと、後端を上記保持アームに軸止することにより鰐口状に開閉する揺動保持アームにより構成するとともに、揺動保持アームを開放側に付勢する構成としている。
【００２３】
図中符号２は保持部材であり、この保持部材はここでは前方を一対の保持アームの固定保持アーム４とし、後方を別体に構成される持ち手１が内嵌される筒状保持部３としている。上記は持ち手１は塗装用ホルダーを手持ちするのに適した長さおよび太さに構成されるが、別体ではなく保持部材２の後端を延長して持ち手としてもよい。
【００２４】
図中符号７は一対の保持アームの揺動保持アームである。上記揺動保持アーム７は後方を前記の固定保持アーム４の後方に軸止することにより、鰐口状に開閉する。軸止ピン５にはひげバネ６が巻装され、両バネ端のそれぞれが固定保持アームの裏面および揺動保持アームのぞれぞれを押し開き方向に押圧することにより一対の保持アームは開放方向に付勢される。
【００２５】
この実施例においては固定保持アーム４および揺動保持アーム７の先端外側に、揺動保持アームが開いた際にワークの内壁に接触する保持用突起４Ａ、７Ａを設けることにより、ワークの内壁に対するアームの接触面積を小さくして滑り落ちを防止している。また、前記保持用突起に代えて、揺動保持アームが開いた際に塗装対象物の内壁に接触する高摩擦性の滑り止め部材を設けてもよい。また、前記の保持用突起や滑り止め部材を設けなくともよい。
【００２６】
図４〜図７は本願考案の塗装用ホルダーＨの使用方法を示す図である。図中符号Ｗは例えば筒状や蓋状などの内部に空隙Ｗ１があるワークを示す。塗装用ホルダーＨは一対の保持アーム４および７を付勢力に抗して閉じた状態でワークＷの空隙Ｗ１内に挿入し（図４〜図６）、空隙内で付勢力によりアームを開くことにより、一対の保持アームが空隙の内壁を互いに反対方向に押圧し、ワークは一対の保持アームにより突っ張り状態で固定される（図７）。
【符号の説明】
【００２７】
Ｈ          塗装用ホルダー
Ｗ          塗装対象物（ワーク）
Ｗ１        塗装対象物（ワーク）の空隙
２          保持部材
３          筒状保持部
４          固定保持アーム
４Ａ        保持用突起
５          軸止ピン
６          ひげバネ
７          揺動保持アーム７
７Ａ        保持用突起
【図１】
0003218725.tif 000003
【図２】
0003218725.tif 000004
【図３】
0003218725.tif 000005
【図４】
0003218725.tif 000006
【図５】
0003218725.tif 000007
【図６】
0003218725.tif 000008
【図７】
0003218725.tif 000009